(57)【要約】【課題】  画像形成装置本体の筐体を構成する側板の内側に配置されるモータの交換性を向上させる。【解決手段】  モータをモータステーに位置決め、固定し、モータのモータピニオンとかみ合う各ギアをモータステーで位置決めし、モータステーユニットを側板の外側から取付け、取り外し可能に構成する。【選択図】  図１
2008158080.tif 000002
【特許請求の範囲】
【請求項１】
画像形成装置の各ユニットを駆動する駆動手段と、
駆動手段から駆動の伝達を受ける駆動伝達手段と、
画像形成装置本体の筐体を構成する側板と、
前記側板の画像形成装置本体内側に駆動手段を配置してなる画像形成装置において、
前記駆動手段を位置決めして取付ける駆動手段取付けステーに、前記駆動手段から直接駆動の伝達を受ける前記駆動伝達手段の位置決め部を備え、前記側板の外側から前記駆動手段取付けステーを取付け取り外しできることを特徴とする画像形成装置。
【請求項２】
前記駆動伝達手段が感光ドラム駆動伝達手段と画像形成装置の各ユニットへ駆動を伝達する駆動アイドラ手段であることを特徴とする請求項１記載の画像形成装置。
【請求項３】
前記駆動アイドラ手段が段ギアであり、前記駆動手段とかみ合うギアのモジュールを小さくし、画像形成装置の各ユニットへ駆動を伝達するギアのモジュールを大きくしたことを特徴とする請求項２記載の画像形成装置。
【請求項４】
前記駆動手段取付けステー及び、前記駆動手段取付けステーを取り付ける前記側板が金属材料であることを特徴とする請求項１記載の画像形成装置。
【発明の詳細な説明】
【技術分野】
【０００１】
本発明は電子写真プロセスを利用したプリンタ、ファクシミリ、複写機等の画像形成装置に関する。
【背景技術】
【０００２】
従来、画像形成装置本体の小型化、静音化を図るために、図５、図６に示すように画像形成装置本体の筐体を構成する側板２６の内側にモータＭを配置し、モータピニオン２２を側板２６の外側に配置する構成が知られている。
【０００３】
特開２００１−１００４７３号公報に記載される技術では、画像形成装置本体の小型化を達成するために、画像形成装置の各ユニットを駆動するモータを画像形成装置本体の筐体内部に配置する構成をとっている。また、モータを筐体内部に配置することにより、モータから発する電磁音を筐体で遮へいすることが可能になり、画像形成装置本体の静音化を図っている。さらに、モータを金属材料からなる筐体に取り付けることにより、モータの発熱を抑えている。
【０００４】
一方、感光ドラムの回転むらを防止するために、ドラム駆動ギアでは小モジュールのギアを使用している。小モジュールのギアを使用するためには、感光ドラム駆動ギアと感光ドラムに駆動を与えるモータピニオンとの軸間距離の精度を上げる必要があり、そのために、感光ドラム駆動ギアとモータピニオン（モータ）を同一部品上で位置決めし、取り付けることが望まれる。
【特許文献１】特開２００１−１００４７３号公報
【発明の開示】
【発明が解決しようとする課題】
【０００５】
前記した先行技術は、画像形成装置の小型化、感光ドラムの回転むら防止に対して有効であるが、次の点で改良／改善されることが望まれる。
【０００６】
特開２００１−１００４７３号公報記載の技術は筐体の内側にモータを配置し、直接筐体にモータを取り付けている。
【０００７】
そのため、モータ交換の必要がある場合、画像形成装置本体の分解の手間が多くなり、場合によっては、画像形成装置本体全体を分解することになったり、モータ取り外しの専用工具が必要になったりする。そのため、更なるモータ交換性が望まれる。
【０００８】
本発明は上記課題を改良／改善するため、モータと、モータが駆動を伝達するギアを、モータ取り付けステーで位置決めできる構成にし、前記モータ取り付けステーを画像形成装置本体の筐体に取り付けることにより、感光ドラム駆動ギアとモータピニオンの軸間距離の精度を確保し、かつ、筐体内側に配置されたモータの交換性を比較的簡単な構成で向上させることができる。
【課題を解決するための手段】
【０００９】
請求項１記載の発明は、
画像形成装置の各ユニットを駆動する駆動手段と、
駆動手段から駆動の伝達を受ける駆動伝達手段と、
画像形成装置本体の筐体を構成する側板と、
前記側板の画像形成装置本体内側に駆動手段を配置してなる画像形成装置において、
前記駆動手段を位置決めして取付ける駆動手段取付けステーに、前記駆動手段から直接駆動の伝達を受ける前記駆動伝達手段の位置決め部を備え、前記側板の外側から前記駆動手段が取付いた状態の前記駆動手段取付けステーを取付け取り外しできることを特徴とする。
【００１０】
請求項２記載の発明は、
前記駆動伝達手段が感光ドラム駆動伝達手段と画像形成装置の各ユニットへ駆動を伝達する駆動アイドラ手段であることを特徴とする。
【００１１】
請求項３記載の発明は、
前記駆動アイドラ手段が段ギアであり、前記駆動手段とかみ合うギアのモジュールを小さくし、画像形成装置の各ユニットへ駆動を伝達するギアのモジュールを大きくしたことを特徴とする。
【００１２】
請求項４記載の発明は、
前記駆動手段取付けステー及び、前記駆動手段取付けステーを取り付ける前記側板が金属材料であることを特徴とする。
【発明の効果】
【００１３】
以上説明したように、本発明によれば、駆動手段を駆動手段取付けステーに取付け、駆動手段取付けステーには駆動手段から直接駆動を伝達される駆動伝達手段の位置決め部が設けられているため、駆動手段と駆動伝達手段の軸間精度が良好になり、小さいモジュールのギアを使用することが可能になり、駆動伝達手段が感光ドラム駆動手段である場合、感光ドラムの回転むらを防止することが可能になる。
【００１４】
駆動手段取付けステーは駆動手段が取付いた状態で、画像形成装置の筐体を構成する側板の外側から取付け、取り外しができるため、駆動手段の交換性が向上する。
【００１５】
また、駆動手段は前記側板の内側に配置されるため、画像形成装置本体の小型化、静音化が可能になる。さらに、前記駆動手段取付けステー及び、前記側板が熱伝導率の高い金属材料の場合、駆動手段の放熱を向上させ、駆動手段の過昇温を防止できる。
【発明を実施するための最良の形態】
【００１６】
（実施例１）
本発明に係る画像形成装置の第１の実施例について図を用いて説明する。
【００１７】
図４は本実施例に係る画像形成装置を示す概略断面図である。
【００１８】
図４に示すように、本実施例における画像形成装置としてレーザビームプリンタ１について説明する。レーザビームプリンタ１は記録シートＰを積載する給送カセット２と、プロセスカートリッジの着脱及びジャム処理を行うためのプロセスカートリッジ着脱カバー３と、記録シートＰを給送する給送ローラ４と記録シートＰを１枚ずつ分離させる分離パッド５と給送した記録シートＰをレーザビームプリンタ本体内に搬送する中間搬送手段である中間搬送ローラ６と、これに対向する中間搬送コロ６ａと、搬送手段であるレジストレーションローラ７と、これに対向するレジストレーションコロ７aと記録シートのスキュー補正手段であるレジストレーションシャッタ８と、レジストレーションローラ７とレジストレーションコロ７ａ及びレジストレーションシャッタ８からなるレジストレーションローラユニットを保護するレジストレーションカバー９と、レジストレーションローラユニットから送られてきた記録シートＰの先端及び後端を検知する検知手段であるフォトインタラプタ２０とレジストレーションセンサレバー２１と、レジストレーションローラユニットから送られてきた記録シートＰを転写部へ案内する転写前上ガイド１０と転写前下ガイド１９と、感光ドラム１１ａを含むプロセスカートリッジ１１と、記録シートＰに画像を転写する転写手段である転写ローラ１２と、レーザスキャナーユニット１３と、定着ヒータを内蔵する定着ヒータユニット１４と、定着加圧ローラ１５と、定着後の記録シートＰを搬送する排出搬送ローラ１６と排出搬送コロ１６ａと、記録シートＰをレーザビームプリンタ１本体外に排出する排出ローラ１７と排出コロ１７ａと、シート排出積載部１８で構成されている。
【００１９】
給送カセット２には複数枚の記録シートＰが積載されるようになっており、プリント命令を受けると、給送ローラ４と分離パッド５によって、給送カセット２内の記録シートＰを１枚ずつ分離給送する。
【００２０】
給送された記録シートＰは中間搬送ローラ６と中間搬送コロ６ａに送られる。さらに中間搬送ローラ６で搬送された記録シートＰはシート搬送路を通り、レジストレーションユニット内にあるレジストレーションシャッタ８のシート当接部８ａに突き当てられる。
【００２１】
記録シートＰはシート当接部８ａに当接しながらレジストレーションシャッタ８を退避させる方向に回動させ、レジストレーションローラ７とレジストレーションコロ７ａのニップへ搬送されることによりスキュー補正を行う。
【００２２】
スキュー補正後の記録シートＰはレジストレーションセンサレバー２１に突き当てられる。記録シートＰはレジストレーションセンサレバー２１に当接しながらレジストレーションレバー２１を退避させる方向に回動させる。
【００２３】
レジストレーションセンサレバー２１を回動させた記録シートＰは、転写前上ガイド１０及び、転写前下ガイド１９で形成されるシート搬送路を搬送され、転写ローラ１２と対向する感光ドラム１１ａのニップに搬送される。
【００２４】
プリント命令とともにレーザスキャナーユニット１３からレーザ光Ｌを感光ドラム１１ａ上に照射し、感光ドラム１１ａ上にトナー画像を形成される。感光ドラム１１ａ上に形成されたトナー画像は、感光ドラム１１ａと転写ローラ１２とのニップで記録シートＰに転写される。
【００２５】
次に、トナー画像が転写された記録シートＰは定着加圧ローラ１５と定着ヒータユニット１４で構成される定着ユニットに送られ、加熱及び加圧される。これによって記録シートＰにトナー画像が定着される。トナー画像が定着された記録シートＰは、排出搬送ローラ１６及び排出搬送コロ１６ａによって排出ガイドに沿って搬送され、排出ローラ１７及び排出コロ１７ａによってシート排出積載部１８に排出、積載される。
【００２６】
次に図１、図２、図３を用いて本発明の駆動部について説明する。
【００２７】
図２はモータステーユニットを示す。
【００２８】
メインモータ軸に嵌合し位置決めされるモータピニオン２２が取付いているモータＭと、モータピニオン２２とかみ合う感光ドラム駆動ギア２３と、他の各ユニットに駆動を伝える駆動アイドラギア２４がモータステー２５に位置決めされている。感光ドラム駆動ギア２３はギアに設けられているカップリング部（図示なし）により感光ドラムと連結され、感光ドラムを駆動する。感光ドラム駆動ギア２３は、感光ドラムを滑らかに回転させるために、小モジュール化することが望ましく、本発明ではモジュール０．５としている。そのため、感光ドラム駆動ギア２３とかみ合うモータピニオン２２と、モータピニオン２２とかみ合う駆動アイドラギア２４のモジュールも０．５となる。
【００２９】
モータステーユニットは図１に示すように画像形成装置本体の筐体である側板２６に取り付けられる。
【００３０】
その後、図３に示すように、側板２６には各ユニットに駆動を伝えるギア列が配置される。また、駆動アイドラギア２４は、段ギア化されており、モータピニオン２２とかみ合うギアはモジュール０．５、各ユニットへ駆動を伝達するギア（Ａギア２７ａ側）はモジュール１とし、バックラッシを大きく取れるようにしている。そのため、駆動アイドラギア２４をモータステー２５で位置決めし、各ユニットへ駆動を伝達するギア列を側板２６で位置決めしても、歯底あたりによる異常音の発生や、回転むら等を発生させることがない。
【図面の簡単な説明】
【００３１】
【図１】本発明の実施形態を示す斜視図である
【図２】本発明の実施形態を示す側面図である
【図３】本発明の実施形態を示す斜視図である
【図４】本発明の実施形態を示す概略断面図である
【図５】従来例を示す斜視図である
【図６】従来例を示す背面図である
【符号の説明】
【００３２】
１  レーザビームプリンタ
２  給送カセット
３  プロセスカートリッジ着脱カバー
４  給送ローラ
５  分離パッド
６  中間搬送ローラ
６ａ  中間搬送コロ
７  レジストレーションローラ
７ａ  レジストレーションコロ
８  レジストレーションシャッタ
８ａ  シート当接部
９  レジストレーションカバー
１０  転写前上ガイド
１１  プロセスカートリッジ
１１ａ  感光ドラム
１２  転写ローラ
１３  レーザスキャナユニット
１４  定着ヒータユニット
１５  定着加圧ローラ
１６  排出搬送ローラ
１６ａ  排出搬送コロ
１７  排出ローラ
１７ａ  排出コロ
１８  シート排出積載部
１９  転写前上ガイド
２０  フォトインタラプタ
２１  レジストレーションセンサレバー
２２  モータピニオン
２３  感光ドラム駆動ギア
２４  駆動アイドラギア
２５  モータステー
２６  側板
２７ａ  Ａギア
２７ｂ  Ｂギア
２７ｃ  Ｃギア
Ｌ  レーザ光
Ｍ  モータ（駆動手段）
Ｐ  記録シート
【図１】
2008158080.tif 000003
【図２】
2008158080.tif 000004
【図３】
2008158080.tif 000005
【図４】
2008158080.tif 000006
【図５】
2008158080.tif 000007
【図６】
2008158080.tif 000008